(57)【要約】【課題】原稿サイズの判定誤りを低減できる画像読み取り装置を提供する。【解決手段】本発明に係る画像読み取り装置は、原稿台と、原稿カバーと、複数の画素が主走査方向に平行に配列されたラインを所定の間隔をおいて複数有し、入射する光を光電変換してライン毎の電気信号を出力するイメージセンサと、前記イメージセンサを主走査方向に垂直な副走査方向に平行移動させる副走査手段と、前記原稿台を裏面側から照射する第一の光源を有し、前記原稿台の盤面に載置された原稿又は原稿カバーの互いに異なる主走査線上の反射光を互いに異なるラインに入射させる第一の光学系と、前記イメージセンサから出力される電気信号に基づいて原稿の主走査方向のサイズを判定するための情報をライン毎に生成し、ライン毎に生成した情報に基づいて原稿の主走査方向のサイズを判定する第一のサイズ判定手段と、を備える。【選択図】  図１
2005020270.tif 000002
【特許請求の範囲】
【請求項１】
透明な原稿台と、
前記原稿台の盤面を開放した姿勢から前記原稿台の盤面を覆う姿勢に揺動可能に設けられた原稿カバーと、
複数の画素が主走査方向に平行に配列されたラインを所定の間隔をおいて複数有し、入射する光を光電変換してライン毎の電気信号を出力するイメージセンサと、
前記イメージセンサを主走査方向に垂直な副走査方向に平行移動させる副走査手段と、
前記原稿台を裏面側から照射する第一の光源を有し、前記原稿台の盤面に載置された原稿又は原稿カバーの互いに異なる主走査線上の反射光を互いに異なるラインに入射させる第一の光学系と、
前記イメージセンサから出力される電気信号に基づいて原稿の主走査方向のサイズを判定するための情報をライン毎に生成し、ライン毎に生成した情報に基づいて原稿の主走査方向のサイズを判定する第一のサイズ判定手段と、
を備えることを特徴とする画像読み取り装置。
【請求項２】
前記第一のサイズ判定手段は、所定の画素によって出力された電気信号が表す値を所定のしきい値と比較した比較結果を原稿の主走査方向のサイズを判定するための情報として生成することを特徴とする請求項１に記載の画像読み取り装置。
【請求項３】
前記第一のサイズ判定手段は、前記ラインの所定の画素に入射する前記原稿カバーの反射光の光量変化であって前記原稿カバーが前記原稿台の盤面を開放した姿勢から前記原稿台の盤面を覆う姿勢に揺動する期間中の光量変化を表す情報を原稿の主走査方向のサイズを判定するための情報として生成することを特徴とする請求項１に記載の画像読み取り装置。
【請求項４】
前記原稿台の盤面上の領域であって前記イメージセンサの待機位置から副走査方向に所定距離離間した位置に設定される複数の検知領域を裏面側から照射する第二の光源を有し、互いに異なる検知領域の反射光を互いに異なるラインの余り画素に到達させる第二の光学系と、
前記イメージセンサから出力された電気信号に基づいて前記原稿台の検知領域が原稿に覆われているか否かをライン毎に検出し、ライン毎の検出結果に基づいて原稿の副走査方向のサイズを判定する第二のサイズ判定手段と、
前記第一のサイズ判定手段で判定した原稿の主走査方向のサイズと、前記第二のサイズ判定手段で判定した原稿の副走査方向のサイズとに基づいて原稿サイズ及び向きを判定する原稿サイズ判定手段と、
を備えることを特徴とする請求項１、２又は３に記載の画像読み取り装置。
【請求項５】
前記第二のサイズ判定手段は、前記ラインの余り画素に入射する前記検知領域の反射光の光量変化であって、前記原稿が前記原稿台の盤面を開放した姿勢から前記原稿台の盤面を覆う姿勢に揺動する期間中の光量変化を前記イメージセンサから出力される電気信号に基づいて検出し、検出した光量変化に基づいて前記原稿台の検知領域が原稿に覆われているか否かを検出することを特徴とする請求項４に記載の画像読み取り装置。
【発明の詳細な説明】
【０００１】
【発明の属する技術分野】
本発明は画像読み取り装置に関する。
【０００２】
【従来の技術】
従来、イメージスキャナ等の画像読み取り装置で原稿の主走査方向のサイズを自動判定する技術が知られている。従来の画像読み取り装置は、複数の検知領域を原稿台上に主走査線に並行に並べて設定している。すなわち、複数の検知領域を主走査線に並行な一つの直線上に設定している。主走査方向のサイズは、原稿の各検知領域に位置する部分の反射光が入射する所定の画素によって出力される電気信号が表す値に基づいて判定している。具体的には、原稿台の盤面を開放した姿勢（開姿勢）のときに光源を点灯し、所定の画素が出力する電気信号が表す値を予め設定したしきい値と比較することで検知領域毎に原稿有無を判定し、その結果に基づいて原稿の主走査方向のサイズを判定している。例えば原稿カバーが開姿勢のとき、検知領域上に原稿があれば光源が発光した光は原稿に反射されるためイメージセンサには明るい光が入射し、逆に原稿がなければ光は反射されないため暗い光が入射することになる。従って、イメージセンサが出力する電気信号が表す値をしきい値と比較すれば各検知領域上の原稿有無を判定できる。原稿が規格サイズの原稿である場合、各検知領域上の原稿有無が判定されれば原稿の主走査方向のサイズは一意に特定される。このようにして主走査方向のサイズを判定している。
【０００３】
【発明が解決しようとする課題】
しかしながら、従来の画像読み取り装置は検知領域を主走査線に並行な一つの直線上に設定しているため、原稿サイズが誤判定されるという問題がある。検知領域上に原稿の暗い部分が位置すると、原稿があるにもかかわらずイメージセンサには暗い光が入射する。この場合、当該検知領域上の反射光が入射する画素が出力する電気信号が表す値はしきい値未満となる。この結果、原稿があるにもかかわらず当該検知領域には原稿は無いと判定され、原稿サイズが誤判定されてしまうことになる。主走査線に平行な一つの直線上に検知領域を設定した場合、ある検知領域で原稿有無が誤判定されたとしても別の検知領域の結果に基づいてそのことを検出することはできず、その結果、原稿サイズが誤判定されることになる。
【０００４】
本発明は、かかる問題に鑑みて創作されたものであって、原稿サイズの判定誤りを低減できる画像読み取り装置を提供することを目的とする。
【０００５】
【課題を解決するための手段】
上記目的を達成するため、本発明に係る画像読み取り装置は、透明な原稿台と、前記原稿台の盤面を開放した姿勢から前記原稿台の盤面を覆う姿勢に揺動可能に設けられた原稿カバーと、複数の画素が主走査方向に平行に配列されたラインを所定の間隔をおいて複数有し、入射する光を光電変換してライン毎の電気信号を出力するイメージセンサと、前記イメージセンサを主走査方向に垂直な副走査方向に平行移動させる副走査手段と、前記原稿台を裏面側から照射する第一の光源を有し、前記原稿台の盤面に載置された原稿又は原稿カバーの互いに異なる主走査線上の反射光を互いに異なるラインに入射させる第一の光学系と、前記イメージセンサから出力される電気信号に基づいて原稿の主走査方向のサイズを判定するための情報をライン毎に生成し、ライン毎に生成した情報に基づいて原稿の主走査方向のサイズを判定する第一のサイズ判定手段と、を備えることを特徴とする。この画像読み取り装置によると、あるラインに対応する主走査線上に原稿の暗い部分が重なってしまった場合でも、他のラインに暗い部分が重なっていなければ他のラインについて生成した情報に基づいて判定することにより原稿の主走査方向のサイズを正しく判定できる。よって原稿サイズの判定誤りを低減できる。
【０００６】
さらに本発明に係る画像読み取り装置では、前記第一のサイズ判定手段は、所定の画素によって出力された電気信号が表す値を所定のしきい値と比較した比較結果を原稿の主走査方向のサイズを判定するための情報として生成することを特徴とする。所定の画素によって出力された電気信号が表す値と所定のしきい値とを比較するためには、各ラインについて出力信号を一度のみ出力すればよい。すなわち、電気信号が表す値と所定のしきい値との比較のために各ラインについて複数回の出力を行う必要はない。従って、短時間に原稿サイズを判定できる。
【０００７】
さらに本発明に係る画像読み取り装置では、前記第一のサイズ判定手段は、前記ラインの所定の画素に入射する前記原稿カバーの反射光の光量変化であって前記原稿カバーが前記原稿台の盤面を開放した姿勢から前記原稿台の盤面を覆う姿勢に揺動する期間中の光量変化を表す情報を原稿の主走査方向のサイズを判定するための情報として生成することを特徴とする。光量変化に基づいて原稿の主走査方向のサイズを判定すると、判定結果が原稿の色に左右され難くなる。具体的には例えば、原稿の暗い部分に影響され難くなる。よってこの画像読み取り装置によると、原稿サイズの判定誤りを更に低減できる。
【０００８】
さらに本発明に係る画像読み取り装置では、前記原稿台の盤面上の領域であって前記イメージセンサの待機位置から副走査方向に所定距離離間した位置に設定される複数の検知領域を裏面側から照射する第二の光源を有し、互いに異なる検知領域の反射光を互いに異なるラインの余り画素に到達させる第二の光学系と、前記イメージセンサから出力された電気信号に基づいて前記原稿台の検知領域が原稿に覆われているか否かをライン毎に検出し、ライン毎の検出結果に基づいて原稿の副走査方向のサイズを判定する第二のサイズ判定手段と、前記第一のサイズ判定手段で判定した原稿の主走査方向のサイズと、前記第二のサイズ判定手段で判定した原稿の副走査方向のサイズとに基づいて原稿サイズ及び向きを判定する原稿サイズ判定手段と、を備えることを特徴とする。この画像読み取り装置によると、複数の検知領域について原稿に覆われているか否かを検出することにより、原稿の副走査方向のサイズの判定誤りを低減できる。
【０００９】
さらに本発明に係る画像読み取り装置では、前記第二のサイズ判定手段は、前記ラインの余り画素に入射する前記検知領域の反射光の光量変化であって、前記原稿が前記原稿台の盤面を開放した姿勢から前記原稿台の盤面を覆う姿勢に揺動する期間中の光量変化を前記イメージセンサから出力される電気信号に基づいて検出し、検出した光量変化に基づいて前記原稿台の検知領域が原稿に覆われているか否かを検出することを特徴とする。この画像読み取り装置によると、原稿の副走査方向のサイズの判定誤りを更に低減できる。
【００１０】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても、方法の発明としても特定することができる。
【００１１】
【発明の実施の形態】
以下、本発明の実施の形態を複数の実施例に基づいて説明する。
（第一実施例）
図２は、本発明の第一実施例に係る画像読み取り装置としてのイメージスキャナ１の上面図である。イメージスキャナ１は、直方体の本体１１の上面にガラス板などで形成された概ね矩形の透明な原稿台１２を備えた所謂フラットベッド型である。原稿台１２にはその盤面上に写真、文書等の原稿が載置される。原稿は、原稿台１２の縁に設けられたＬ字形状の原稿ガイド１６の二辺に当接することによって、原稿台１２の盤面上の所定の位置に位置決めされる。このとき、原稿の用紙が判定可能な規格サイズであれば、原稿は原稿台１２の盤面上のその規格サイズに対応する指定載置範囲に位置決めされる。原稿カバー１３は、ヒンジ１７により原稿台１２の盤面を開放した姿勢（全開姿勢）から原稿台１２の盤面を覆う姿勢（全閉姿勢）に揺動可能に本体１１に設けられている。尚、図２は全開姿勢にある原稿カバー１３を示している。原稿カバー１３は原稿台１２に載置される原稿を押さえるとともに、第一の光源としてのメインランプ２２（図４参照）及び第二の光源としてのＬＥＤ３２（図４参照）の放射光以外の光が原稿を照らすことがないよう原稿台１２を覆うものである。イメージスキャナ１は、本体１１の上面の原稿カバー１３の揺動軸線近傍から、原稿カバー１３の姿勢を検出するための姿勢センサ３４の可動部材１８が突出している。
【００１２】
図３は、原稿カバー１３の姿勢の変化を示す模式図である。姿勢Ｉ  は全開姿勢であり、姿勢ＩＩＩ  は全閉姿勢である。姿勢ＩＩは全開姿勢Ｉ  から全閉姿勢ＩＩＩ  に揺動する期間中の中間の姿勢（中間姿勢）である。姿勢センサ３４は、可動部材１８、可動部材１８を付勢して本体１１から突出させるばね２０、姿勢検出用の図示しないＬＥＤ、姿勢検出用のＬＥＤから放射された光を検出するフォトダイオード３３とを備える。原稿カバー１３が中間姿勢ＩＩになると可動部材１８は原稿カバー１３に当接し、中間姿勢ＩＩからさらに全閉姿勢ＩＩＩ  に近づくと可動部材１８は本体１１の内側へ押し込まれる。制御部５０（図６参照）はフォトダイオード３３で受光する光量を所定周期で監視することによって中間姿勢ＩＩになったタイミングを検出する。
【００１３】
図４及び図５は、イメージスキャナ１を示す模式図である。
図４に示すようにキャリッジ１４は、原稿台１２の盤面と平行に往復移動自在に本体１１に収容されている。キャリッジ１４はリニアイメージセンサ１５、及び第一の光学系２１、並びに第二の光学系３１の一部（図５参照）を搭載し、原稿台１２の盤面に対し平行なガイド用のシャフト等にスライド自在に係止されている。ガイド用のシャフトの長手方向軸は図４のＸ方向（副走査方向）に延伸しており、キャリッジ１４は例えばベルトにより牽引されてリニアイメージセンサ１５、及び第一の光学系２１、並びに第二の光学系３１の一部を副走査方向に運搬する。詳しくは後述するがイメージスキャナ１は画素が直線状に配列された画素列（ライン）を３ライン備え、３つの互いに異なる主走査線上を同時に読み取る。キャリッジ１４の待機位置は、一つ目のラインにより後述する検知領域Ａ１〜Ｇ１を通る主走査線上を読み取ることができ、二つ目のラインにより検知領域Ａ２〜Ｇ２を通る主走査線上を読み取ることができ、三つ目のラインにより検知領域Ａ３〜Ｇ３を通る主走査線上を読み取ることができる位置に設定される。
【００１４】
リニアイメージセンサ１５は、原稿台１２に載置された原稿Ｍの反射光を光電変換することにより原稿Ｍを読み取る。具体的には、リニアイメージセンサ１５はフォトダイオード等の画素が図４において紙面垂直方向（主走査方向）に並行に並ぶ画素列（ライン）を所定の間隔をおいて複数有している。第一実施例のリニアイメージセンサ１５は第一のライン、第二のライン及び第三のラインの計３つのラインを有し、各ラインにはＲ（赤）、Ｇ（緑）又はＢ（青）のいずれか他のラインと重複しない一色のカラーフィルタが形成され、これによりカラー画像の読み取りを可能にしている。尚、ＲＧＢについて各１ライン以上、合計３ライン以上備えるカラーイメージセンサであってもよい。ここで所定の間隔とは、一般には８画素分の間隔であることが多く、第一実施例では１画素は約０．０４ｍｍであり、ライン間の間隔は約０．３５ｍｍであるとする。ライン間に間隔を設けるのは、あるラインにのみ入射すべき光が隣のラインに入射してしまうことを避けるためである。例えば一つの検知領域上に画素の幅より広い黒い罫線があるとすると、ライン間に間隔がないとその光が隣のラインにも入射してしまい、どちらのラインでも電気信号の表す値が低くなってしまう。その結果、原稿サイズを正確に判定できなくなるからである。リニアイメージセンサ１５は、可視光、赤外光、紫外光などの所定の波長領域の光を光電変換して得られる電荷を一定時間蓄積し、各画素について受光量に応じて蓄積された電荷をＣＣＤ（Ｃｈａｒｇｅ  Ｃｏｕｐｌｅｄ  Ｄｅｖｉｃｅ）、ＭＯＳトランジスタスイッチ等を用いてライン毎に電気信号として出力する。一般にリニアイメージセンサは原稿の読み取りに用いる画素の他に原稿の読み取りに用いない余り画素を備えていることが多く、リニアイメージセンサ１５も各ラインの端部近傍に余り画素を有している。
【００１５】
第一の光学系２１は、第一の光源としてのメインランプ２２、ミラー２３、２６、２５、２４及びレンズ２７を備える。メインランプ２２はキセノンランプ等の管照明装置から構成されており、その長手方向軸線がリニアイメージセンサ１５の長手方向軸線と平行に延びる姿勢でキャリッジ１４に搭載されている。メインランプ２２は本体１１の内側から原稿台１２の裏面側を照射する。ミラー２３、２６、２５、２４及びレンズ２７は、図４に模式的に示すように原稿台１２の盤面上の領域であって互いに異なる主走査線上の領域からリニアイメージセンサ１５の互いに異なるラインに至る光路Ｔ１、Ｔ２及びＴ３を形成する。
【００１６】
図５に示すように第二の光学系３１は、第二の光源としてのＬＥＤ（Ｌｉｇｈｔ  Ｅｍｉｔｔｉｎｇ  Ｄｉｏｄｅ）３２、ミラー２４、ミラー２８、ミラー２９、ミラー３０及びレンズ２７を備える。尚、ミラー２４及びレンズ２７は第一の光学系２１としても第二の光学系３１としても用いられるものである。ＬＥＤ３２は原稿台１２の盤面上の検知領域であってリニアイメージセンサ１５の待機位置から副走査方向Ｘに所定距離離間した複数の検知領域Ｈ〜Ｋの下方に配置され、検知領域Ｈ〜Ｋを原稿台１２の裏面側から照射する。検知領域Ｈ〜Ｋは原稿の副走査方向の長さを判定するために設定される領域であり、その具体的な位置については後述する。ミラー３０、２９、２８及び２４は、図５に模式的に示すように検知領域Ｈ〜Ｋからリニアイメージセンサ１５の互いに異なるラインの余り画素に至る光路Ｒ１、Ｒ２及びＲ３を形成する。尚、ＬＥＤ３２、ミラー３０及び２９はキャリッジ１４の移動に支障のない位置に配置されているものとする。第二の光学系３１を備えると、キャリッジ１４が待機位置にある状態において、主走査線上の領域と、主走査線から副走査方向に離間した領域とを同時に読み取ることができる。このため第二の光学系３１を備えることにより、キャリッジ１４を待機位置から移動させることなしに、原稿の副走査方向の長さを判定することが可能になる。これにより、原稿台１２上に載置される原稿の向きが一定でない場合であっても、短時間に多様な原稿サイズを相互に区別することが可能になる。
【００１７】
図６は、イメージスキャナ１のハードウェア構成を示すブロック図である。
主走査駆動部４３はキャリッジ１４に固定された基板に搭載される。主走査駆動部４３は、リニアイメージセンサ１５を駆動するために必要な駆動パルスをリニアイメージセンサ１５に出力する駆動回路である。主走査駆動部４３は、例えば同期信号発生器、駆動用タイミングジェネレータ等から構成される。
【００１８】
副走査手段としての副走査駆動部４４は、キャリッジ１４に係止されたベルト、このベルトを回転させるモータ及び歯車列、駆動回路等で構成され本体１１に収容されている。副走査駆動部４４がキャリッジ１４をベルトで牽引することで図４の紙面垂直方向に延びる主走査線がそれに垂直な副走査方向に並行移動するため、２次元画像の走査が可能となる。
【００１９】
ＡＦＥ部４１は、アナログ信号処理部、Ａ／Ｄ変換器等から構成される。アナログ信号処理部は、リニアイメージセンサ１５から出力された電気信号に増幅、雑音低減処理等を施して出力する。Ａ／Ｄ変換器は、アナログ信号処理部から出力された出力信号を量子化して所定ビット長のディジタル表現の出力信号を出力する。尚、第一実施例の出力信号は８ビット長、すなわち２５６階調で表されるものとする。
【００２０】
ディジタル画像処理部４２は、ＡＦＥ部４１から出力された出力信号に対し、シェーディング補正、ガンマ補正、画素補間法による欠陥画素の補間、画像信号の鮮鋭化等の処理を行って画像データを作成する。尚、これらの処理は原稿Ｍの読み取りが指示されている場合の出力信号に対して行う処理であり、原稿サイズを検出するためのプレスキャンで出力される出力信号に対してはこれらの処理を行う必要はない。
【００２１】
制御部５０は、ＣＰＵ５１、ＲＯＭ５２及びＲＡＭ５３を備える。ＣＰＵ５１はＲＯＭ５２に記憶されたコンピュータプログラムを実行してイメージスキャナ１の各部を制御する。また、ＣＰＵ５１はＲＯＭ５２に記憶されたコンピュータプログラムを実行することで、第一のサイズ判定手段、第二のサイズ判定手段及び原稿サイズ判定手段としても機能する。ＲＯＭ５２はＣＰＵ５１が実行するコンピュータプログラム、原稿サイズの判定に用いる判定テーブル（図１１参照）、その他各種のプログラムやデータなどを記憶しているメモリである。これらのプログラムや各種のデータは、所定のサーバからネットワークを介してダウンロードして入力してもよいし、リムーバブルメモリ等のコンピュータ読み取り可能な記憶媒体から読み出して入力してもよい。ＲＡＭ５３はプログラムやデータを一時的に記憶するメモリである。
【００２２】
以上、イメージスキャナ１のハードウェア構成について説明した。次に、原稿台１２上に設定されている検知領域について説明する。
図７は、原稿台１２の平面図である。図中の枠Ａ５Ｈ〜ＷＬＴはそれぞれ図８に示す原稿サイズに対応する指定載置範囲を表している。原稿のサイズが規定されている場合、原稿サイズ及び向きを判定するには原稿台１２上の特定の検知領域における原稿有無を判定すればよい。第一実施例では図７に示すように検知領域Ａ１〜Ｇ１、検知領域Ｘ１、検知領域Ａ２〜Ｇ２、検知領域Ｘ２、検知領域Ａ３〜Ｇ３、検知領域Ｘ３、及び検知領域Ｈ〜Ｋについて原稿有無を判定する。
【００２３】
検知領域Ｈ〜Ｋは、原稿の副走査方向の長さを判定するために設定されている小領域である。検知領域Ｈ〜Ｋは、図示するように原稿台１２においてＡ４縦サイズ（Ａ４Ｖ）の原稿に覆われる領域であって且つレター縦サイズ（ＬＴＶ）の原稿には覆われない領域の任意の位置に設定されている。すなわち原点Ｑから副走査方向に２７９．４ｍｍ以上２９７ｍｍ以内であり、且つ主走査方向に原点Ｑから０ｍｍ以上２１０ｍｍ以内の領域内に設定されている。ここで原点Ｑは、Ｌ字状の原稿ガイド１６において原稿に当接する２つの壁が形成する角部の直下に設定される。第一実施例の検知領域Ｈ〜Ｋは主走査方向に垂直な一つの直線上に互いに所定間隔をおいて設定されている。尚、検知領域Ｈ〜Ｋは副走査方向に並べてもよいし、主走査方向に対して斜めに並べてもよいし、ランダムに並べてもよい。
【００２４】
特許請求の範囲に記載の「複数の検知領域」とは、検知領域Ｈ〜Ｋに相当する。
検知領域Ａ１〜Ｇ１及び検知領域Ｘ１は、原点Ｑから副走査方向に若干離れた位置で主走査方向に１直線上に並ぶように設定されている小領域である。検知領域Ａ１〜Ｇ１及び検知領域Ｘ１はそれぞれ主走査方向の以下に示す範囲に設定される。
０ｍｍ＜Ａ＜１４８ｍｍ
１４８ｍｍ＜Ｂ＜１８２ｍｍ
１８４．１５ｍｍ＜Ｃ＜２１０ｍｍ
２１０ｍｍ＜Ｄ＜２１５．９ｍｍ
２１５．９ｍｍ＜Ｅ＜２５７ｍｍ
２６６．７ｍｍ＜Ｆ＜２７９．４ｍｍ
２７９．４ｍｍ＜Ｇ＜２９７ｍｍ
２７９ｍｍ＜Ｘ＜原稿台１２の主走査方向の幅
上述した複数の範囲は図８に示す複数の原稿サイズの主走査方向の長さによって特定される範囲である。上述した範囲に検知領域Ａ１〜Ｇ１を設定した場合、図８に示す主走査方向の長さで特定される複数の位置の間に検知領域が一つづつ設定されることになる。ただし、第一実施例ではＢ５縦サイズ（Ｂ５Ｖ）とエグゼクティブ縦サイズ（ＥＸＶ）と、並びにＢ５横サイズ（Ｂ５Ｈ）とエグゼクティブ横サイズ（ＥＸＨ）とについては、設定によりそれぞれどちらか一方のサイズのみを読み取り可能であるものとする。このため第一実施例ではＢ５縦サイズ（Ｂ５Ｖ）とエグゼクティブ縦サイズ（ＥＸＶ）とを互いに識別する必要がなく、１８２ｍｍと１８４．１５ｍｍとの間には検知領域は設定されない。同様に２５７ｍｍと２６６．７ｍｍとの間にも検知領域は設定されない。検知領域Ｘは判定対象の最大サイズの用紙サイズ（Ａ３縦）の指定載置範囲外に設定する。検知領域Ａ１〜Ｇ１及び検知領域Ｘ１の反射光は第一の光学系２１を介してリニアイメージセンサ１５の所定の画素に入射する。各検知領域にはそれぞれリニアイメージセンサ１５において主走査方向に連続する複数の画素、例えば２０画素が対応するものとする。
【００２５】
検知領域Ａ２〜Ｇ２及び検知領域Ｘ２は、それぞれ検知領域Ａ１〜Ｇ１及び検知領域Ｘ１から副走査方向に若干離れた位置で主走査方向に１直線上に並ぶように設定されている小領域である。検知領域Ａ２〜Ｇ２及び検知領域Ｘ２が設定される主走査方向の範囲は前述した検知領域Ａ１〜Ｇ１及び検知領域Ｘ１が設定される範囲と同じである。検知領域Ａ３〜Ｇ３及び検知領域Ｘ３についても同様である。
特許請求の範囲に記載の「所定の画素」とは、検知領域Ａ１〜Ｇ１、検知領域Ｘ１、検知領域Ａ２〜Ｇ２、検知領域Ｘ２、検知領域Ａ３〜Ｇ３、及び検知領域Ｘ３の反射光が入射する画素に相当する。
【００２６】
次に、原稿サイズ及び向きを判定する処理について、図９に示す場合を例に説明する。
図９は、原稿台１２に載置されている原稿を示す模式図である。図示する例の原稿は表が印刷されている原稿であり、原稿には縦横に複数の罫線が存在している。図示するように検知領域Ａ１〜Ｃ１には原稿に印刷されている主走査方向に延びる罫線が重なってしまっている。また、検知領域Ｈにも原稿に印刷されている主走査方向に延びる罫線が重なってしまっている。
【００２７】
図１は、イメージスキャナ１が原稿サイズ及び向きを判定する処理の流れを示すフローチャートである。本処理は、キャリッジ１４が待機位置にある状態でユーザによる原稿カバー１３の閉じ操作を姿勢センサ３４で検知することにより開始される。尚、原稿サイズ及び向きを検知する処理は、原稿カバー１３が開いている状態で、読み取りの開始を指示するための図示しない自動読み取り開始ボタンをユーザが押下するか、あるいは原稿カバー１３が開いている状態で、イメージスキャナ１に接続されたパーソナルコンピュータ等の制御装置から読み取り開始が指示されることによっても開始される。
【００２８】
Ｓ１０５では、制御部５０は姿勢センサ３４により原稿カバー１３が中間姿勢ＩＩになったことを検知し、メインランプ２２及びＬＥＤ３２を点灯し、各検知領域の反射光をリニアイメージセンサ１５に入射させる。
Ｓ１１０では、所定の時間が経過した後、リニアイメージセンサ１５は画素に蓄積した電荷に応じたライン毎の電気信号をＡＦＥ部４１に出力する。ＡＦＥ部４１は出力された電気信号に所定の処理を施し、ディジタル表現のライン毎の出力信号を制御部５０に出力する。
【００２９】
Ｓ１１５では、第一のラインについて、原稿の主走査方向のサイズを判定するための情報を生成する。制御部５０は第一のラインの出力信号のうち検知領域Ａ１〜Ｘ１に対応する画素の出力信号の平均値を予め設定したしきい値と比較する。この比較では、検知領域Ｘの比較に続いて検知領域ＡからＧの比較をＧからＡの順に行い、比較結果がしきい値以上となる検知領域を特定した時点で残りの検知領域についての比較処理を省略する。比較結果がしきい値以上となる検知領域を特定した時点で残りの検知領域についての比較処理を省略すると、情報を生成する時間を短縮することができる。尚、検知領域Ａから逆順で比較を行うようにしてもよい。図９に示す例の場合であれば、検知領域Ｄ１〜Ｘ１は原稿に覆われていないため、中間姿勢ＩＩの状態では光源が放射した光が原稿によって反射されない。従って検知領域Ｄ１〜Ｘ１に対応する画素に到達する光は弱くて暗い光となり、その光をディジタルの出力信号に変換したときの値はしきい値未満となる。検知領域Ａ１〜Ｃ１は原稿に覆われているものの、前述したように罫線の一つが検知領域Ａ１〜Ｃ１に重なってしまっている。このため検知領域Ａ１〜Ｃ１に対応する画素に到達する光は暗い光となり、その光をディジタルの出力信号に変換したときの値はしきい値未満となる。この結果、第一のラインについて生成した情報は図１０（Ａ）に示すように検知領域Ａ１〜Ｘ１の全てでしきい値未満となる。制御部５０は第一のラインについて生成した情報をＲＡＭ５３に記憶する。
【００３０】
図１０は、ライン毎に生成した原稿の主走査方向のサイズを判定するための情報を示す模式図である。尚、図１０では”しきい値以上”を”以上”、”しきい値未満”を”未満”と略している。
Ｓ１２０では、第二のラインについて、原稿の主走査方向のサイズを判定するための情報を生成する。図９に示す例の場合であれば、検知領域Ｄ２〜Ｘ２は原稿に覆われていないため比較結果はしきい値未満となる。一方、検知領域Ａ２〜Ｃ２は原稿に覆われているため、中間姿勢ＩＩの状態でも光源が放射した光は原稿によって反射される。従って検知領域Ａ２〜Ｃ２に対応する画素に到達する光は明るい光となり、その光をディジタルの出力信号に変換したときの値はしきい値以上となる。この結果、第二のラインについて生成した情報は図１０（Ｂ）に示すように検知領域Ｄ２〜Ｘ２はしきい値未満、検知領域Ｃ２はしきい値以上となり、検知領域Ａ２及びＢ２についての比較は省略される。制御部５０は第二のラインについて生成した情報をＲＡＭ５３に記憶する。
【００３１】
Ｓ１２５では、第三のラインについて、原稿の主走査方向のサイズを判定するための情報を生成する。図９に示す例の場合であれば、第三のラインについて生成した情報は図１０（Ｃ）に示すように第二のラインの情報と同じになる。制御部５０は第三のラインについて生成した情報をＲＡＭ５３に記憶する。
Ｓ１３０では、ライン毎に生成した情報に基づいて原稿の主走査方向のサイズを判定する。制御部５０は、それぞれ異なるライン上の検知領域であって主走査方向の位置が等しい３つの検知領域毎に比較結果を比較し、”しきい値以上”が一つでもあれば当該領域は原稿に覆われている領域であると判定する。図１０に示す例の場合、検知領域Ｄ〜Ｘまでは各検知領域について３つのラインの比較結果は全て”しきい値未満”となっている。従って制御部５０は検知領域Ｄ〜Ｘは原稿に覆われていない領域であると判定する。検知領域Ｃについては、第二のラインと第三のラインで”しきい値以上”となっており、第一のラインで”しきい値未満”となっている。この場合”しきい値以上”が一つ以上あるため、制御部５０は検知領域Ｃは原稿に覆われている検知領域であると判定する。一つでも”しきい値以上”があれば当該検知領域は原稿に覆われている検知領域であると判定するのは、”しきい値未満”という結果が必ずしも正しいとはいえず、”しきい値以上”という結果は必ず正しいといえるためである。例えば検知領域Ｃ１は原稿に覆われているにも関わらず生成した情報では”しきい値未満”となっている。このように、”しきい値未満”という結果は、罫線などのような原稿の暗い部分の影響によって誤って判定された結果である可能性があるからである。この結果、原稿に覆われている検知領域が正しく特定される。制御部５０は原稿に覆われている検知領域を特定した時点で残りの比較を省略する。原稿に覆われている検知領域を特定すると、制御部５０は図１１に示す判定テーブルを用いて原稿の主走査方向のサイズを判定する。図中の”○”は当該検知領域が原稿に覆われていることを意味し、”×”は当該検知領域が原稿に覆われていないことを意味している。検知領域Ｃが原稿に覆われている検知領域であると特定された場合、主走査方向のサイズは図１１によりＡ５横サイズか又はＡ４縦サイズのいずれかであると判定できる。尚、検知領域Ｘが”○”になった場合、すなわち検知領域Ｘが原稿に覆われている場合は読み取り可能な用紙サイズを越えていることになるため、判定不能なサイズであることが特定される。このようにして主走査方向のサイズを判定する。
【００３２】
Ｓ１３５では、検知領域Ｈが原稿に覆われているか否かを検出する。制御部５０はＡＦＥ部４１から出力された出力信号のうち第一のラインの余り画素の出力信号の平均値を予め設定したしきい値と比較し、しきい値以上であれば検知領域Ｈは原稿に覆われていると判定し、しきい値未満であれば原稿に覆われていないと判定する。図９に示す例の場合であれば、検知領域Ｈは原稿に覆われているものの、前述したように罫線の一つが重なってしまっている。このため検知領域Ｈに対応する画素に到達する光は暗い光となり、その光をディジタルの出力信号に変換したときの画素値の平均値はしきい値未満となる。この結果、検知領域Ｈについては原稿で覆われているにも関わらず原稿に覆われていないと誤判定してしまうことになる。
【００３３】
Ｓ１４０では、検知領域Ｊが原稿に覆われているか否かを同様に検出する。図９に示す例の場合であれば、検知領域Ｊは原稿に覆われ且つ罫線には覆われていないため出力信号の平均値はしきい値以上となり、原稿に覆われていると判定される。
Ｓ１４５では、検知領域Ｋが原稿に覆われているか否かを同様に検出する。図９に示す例の場合であれば、検知領域Ｋは原稿に覆われ且つ罫線には覆われていないため、原稿に覆われていると判定される。
【００３４】
Ｓ１５０では、ライン毎の検出結果に基づいて原稿の副走査方向のサイズを判定する。具体的には、主走査方向の原稿サイズの判定の場合と同様に”しきい値以上”が一つでもあれば検知領域は原稿に覆われていると判定する。図９に示す例の場合であれば、図１０に示すように”しきい値以上”が一つ以上あるため原稿に覆われていると判定する。この結果、検知領域上に原稿があることが正しく判定される。副走査方向の原稿サイズも主走査方向の原稿サイズと同様に図１１に示す判定テーブルを用いて判定する。検知領域Ｈ〜Ｋが原稿に覆われていると特定されたとすると、副走査方向のサイズはＡ縦サイズ（Ａ４Ｖ）からダブルレター縦サイズ（ＷＬＴ）までのいずれかであると判定できる。
【００３５】
Ｓ１５５では、原稿サイズ及び向きを判定する。図９に示す例の場合であれば、Ｓ１３０での判定結果とＳ１５０での判定結果とを同時に満たす原稿サイズ及び向きとしてＡ４縦が唯一特定される。
以上説明した本発明の第一実施例に係るイメージスキャナ１によると、あるラインに対応する主走査線上に原稿の罫線が重なってしまった場合でも、他のラインに対応する主走査線上に罫線が重なっていなければ他のラインについて生成した情報に基づいて判定することにより原稿の主走査方向のサイズを正しく判定できる。よってイメージスキャナ１によると、検知領域を主走査線に並行な一つの直線上に設定している場合に比べ、すなわち一つのラインのみでサイズを判定する場合に比べ、原稿サイズの判定誤りを低減できる。
【００３６】
更に、イメージスキャナ１によると、検知領域Ｈ〜Ｋについて原稿に覆われているか否かを検出することにより、検知領域Ｈ〜Ｋのいずれか一つの検知領域しか設定しない場合に比べ、原稿の副走査方向のサイズの判定誤りを低減できる。この結果、原稿サイズ及び向きの判定謝りを低減できる。
尚、第一実施例では各検知領域に対応する画素が出力した電気信号のみを用いてサイズを判定しているが、主走査方向については検知領域を設定せず、全ての画素の電気信号に基づいて判定するようにしてもよい。この場合、規格サイズ以外の原稿のサイズを判定することが可能になる。
【００３７】
また、第一実施例ではカラーフィルタを備えるカラー画像を読み取り可能なイメージスキャナ１を例に説明したが、カラーフィルタを備えずモノクロの画像データのみを作成できる画像読み取り装置に本発明を適用してもよい。
【００３８】
（第二実施例）
第二実施例は、ラインの所定の画素に入射する原稿カバーの反射光の光量変化であって原稿カバーが原稿台の盤面を開放した姿勢から原稿台の盤面を覆う姿勢に揺動する期間中の光量変化を表す情報を原稿の主走査方向のサイズを判定するための情報として生成する場合の例である。尚、第二実施例では第一実施例と実質的に同一の部分については同一の符号を付して説明を省略する。
【００３９】
はじめに、原稿サイズを判定する原理を説明する。
図１２は、原稿台１２に原稿を載置していない状態で原稿カバー１３が全閉姿勢ＩＩＩ  のタイミングと原稿カバー１３が中間姿勢ＩＩになるタイミングとでそれぞれ１ライン分の画素の出力信号をプロットしたグラフである。原稿カバー１３が全閉姿勢ＩＩＩ  の場合、メインランプ２２の放射光は原稿カバー１３によって反射され原稿台１２から本体１１の内部に入射する。一方、原稿カバー１３が中間姿勢ＩＩの場合、原稿台１２からリニアイメージセンサ１５に入射するメインランプ２２の反射光の光量は、光が拡散するため、全画素について全閉姿勢ＩＩＩ  の場合に比べて減少する。また中間姿勢ＩＩでは、原稿カバー１３上の位置であって揺動軸線に近い位置で反射された光の多くはリニアイメージセンサ１５に入射し、揺動軸線から遠い位置で反射された光の多くはリニアイメージセンサ１５に入射しない。このため原稿カバー１３の揺動軸線から遠い画素ほど、受光量の減少幅が大きくなる。また、メインランプ２２は長手方向の中央近傍ほど輝度が高く、両端部ほど輝度が低くなるため、原稿カバー１３が中間姿勢ＩＩになるタイミングでは、中央よりやや揺動軸線に近い画素で最も受光量が大きくなる。
【００４０】
一方、盤面上のある領域が原稿に覆われている場合、原稿で覆われた領域から光が入射するリニアイメージセンサ１５の各画素は原稿カバー１３が全閉姿勢ＩＩＩ  であるか中間姿勢ＩＩであるかによらず、常にメインランプ２２によって照射された原稿Ｍの反射光を受光する。原稿Ｍの反射光を受光する画素では、原稿カバー１３が全閉姿勢ＩＩＩ  であっても中間姿勢ＩＩであってもメインランプ２２によって照射された原稿Ｍの反射光がほとんど変化しないため、受光量はほぼ一定である。
【００４１】
このため原稿カバー１３が全閉姿勢ＩＩＩ  になるタイミングまたはその直前のタイミングでの出力信号と中間姿勢ＩＩのタイミングでの出力信号との差は、原稿に覆われている領域に対応する画素では小さくなり、原稿に覆われていない領域に対応する画素では大きくなる。
従って、原稿カバー１３が全閉姿勢ＩＩＩ  のタイミング又はその直前のタイミングの出力信号と中間姿勢ＩＩになるタイミングの出力信号との変化幅に所定のしきい値Ｙを設定し、ある画素に対応する出力信号の変化幅がしきい値Ｙより小さければ、当該画素に対応する領域が原稿に覆われていると判定できることになる。すなわち、原稿カバー１３が全開姿勢Ｉ  から全閉姿勢ＩＩＩ  に揺動するとき、ある画素について受光量の変化幅の大小を判別すると、その画素に対応する原稿台１２の盤面上の領域が原稿に覆われているか否かを判別できる。それにより、原稿台１２に載置されている原稿のサイズを判定することが可能になる。
【００４２】
原稿カバー１３を揺動する際に原稿の位置ずれが起きていない場合は上述した原理で原稿の主走査方向のサイズを判定できる。しかしながら、原稿カバー１３を揺動する際に原稿に位置ずれが起きている場合は上述した原理のみでは判定を誤る場合がある。上述した説明では、原稿Ｍの反射光を受光する画素では原稿カバー１３が全閉姿勢ＩＩＩ  であっても中間姿勢ＩＩであっても受光量はほぼ一定であると説明したが、それは原稿の位置ずれが起きないときにのみいえることである。光量変化に基づいてサイズを判定する場合、原稿カバー１３を全開姿勢Ｉ  から全閉姿勢ＩＩＩ  に揺動することになる。しかしながら、原稿カバー１３を揺動すると、原稿カバー１３の風圧によって原稿が移動して原稿の位置ずれが起きてしまうことがある。位置ずれが起きた場合、原稿の反射光を受光する画素であっても、原稿カバー１３が全閉姿勢ＩＩＩ  のときと中間姿勢ＩＩのときとでは受光量が変化する場合がある。その結果、原稿に覆われている領域であるにもかかわらず変化幅がしきい値以上になってしまう場合があり得る。この場合、変化幅がしきい値以上であるからといって単純に原稿に覆われていない領域であるとは判定できなくなる。
【００４３】
以下、位置ずれが起きる場合の判定方法について図１３及び図１４に基づいて説明する。図１３は原稿カバー１３を開いた状態で原稿台１２に載置されている原稿Ｍを示しており、図１４は原稿カバー１３を閉じた状態で原稿台１２に載置されている原稿Ｍを示している。
例えば、検知領域Ｂ２、Ｃ２及びＣ３は、原稿カバー１３を閉じる前も閉じた後も罫線に覆われている。この場合、いずれの出力信号も小さくなるため変化幅はしきい値未満となる。また、例えば検知領域Ａ３は、原稿カバー１３を閉じる前も閉じた後も原稿の白色領域に覆われている。この場合、いずれの出力信号も大きくなるため変化幅はしきい値未満となる。従って、変化幅がしきい値未満の場合は当該検知領域は原稿に覆われている検知領域であると判定できる。
【００４４】
また、例えば検知領域Ａ２やＢ３は、原稿カバー１３を閉じる前は原稿の白色領域に覆われているため出力信号は大きくなり、原稿カバー１３を閉じた後は原稿がずれて罫線に覆われるため出力信号が小さくなる。この場合、変化幅がしきい値以上であるから当該検知領域は原稿に覆われていない検知領域であると判定すると、実際には検知領域Ａ２やＢ３は原稿に覆われているため判定を誤ることになる。ただし、この場合の変化の仕方は大から小への変化であり、原稿に覆われていない検知領域の変化とは逆である。原稿に覆われていない検知領域は一度目の出力信号は小さく二度目の出力信号は大きく、その変化の仕方は小から大への変化であるからである。このため変化幅のみでなく変化の仕方まで判定すれば、変化幅がしきい値以上であっても原稿に覆われている検知領域であると正確に判定できる。従って、変化幅がしきい値以上且つ大から小への変化の場合は当該検知領域は原稿に覆われている検知領域であると判定できる。
【００４５】
しかしながら、変化幅がしきい値以上であり且つ変化の仕方が小から大への変化のときは、一つのラインのみでは正確な判定ができない。例えば検知領域Ａ１、Ｂ１及びＣ１は、原稿カバー１３を閉じる前は罫線に覆われているため出力信号は小さくなり、原稿カバー１３を閉じた後は罫線がずれて原稿の白色領域に覆われるため出力信号が大きくなる。この変化の仕方は原稿に覆われていない検知領域の変化の仕方と全く同じである。前述したように原稿に覆われていない検知領域は一度目の出力信号は小さく二度目の出力信号は大きく、その変化の仕方は小から大への変化であるからである。従って、変化幅がしきい値以上であり且つ変化の仕方が小から大への変化であるから当該検知領域は原稿に覆われていない検知領域であると判定するようにすると、実際には検知領域Ａ１、Ｂ１及びＣ１は原稿に覆われているため判定を誤ることになる。変化幅がしきい値以上であり且つ変化の仕方が小から大への変化のときは、原稿に覆われているか否かを一つのラインで誤りなく判定することは不可能である。このため第二実施例のイメージスキャナは、各ラインの処理において変化幅がしきい値以上であるか否か、しきい値以上であれば小から大への変化であるか否かを検知領域毎に記憶し、３つのラインの結果に基づいて判定する。３つのラインの結果に基づいて判定すると、判定誤りを低減することができる。
【００４６】
以下、原稿サイズ及び向きを判定する処理について、図１３及び図１４に示す場合を例に説明する。
図１５は、第二実施例のイメージスキャナが原稿サイズ及び向きを判定する処理の流れを示すフローチャートである。
Ｓ２０５では、制御部５０は姿勢センサ３４により原稿カバー１３が中間姿勢ＩＩになったことを検知し、メインランプ２２及びＬＥＤ３２を点灯し、各検知領域の反射光をリニアイメージセンサ１５に入射させる。
【００４７】
Ｓ２１０では、所定の時間が経過した後、リニアイメージセンサ１５は画素に蓄積した電荷に応じたライン毎の電気信号をＡＦＥ部４１に出力する。ＡＦＥ部４１は出力された電気信号に所定の処理を施し、ディジタル表現のライン毎の出力信号を制御部５０に出力する。
Ｓ２１５では、第一のラインの一度目の出力信号に基づいて各検知領域が原稿に覆われているか否かを判定する。具体的には例えば各検知領域の平均値、例えば一つの検知領域に対応する２０画素の出力信号の平均値を所定のしきい値と比較することにより判定する。複数画素の出力信号の平均値を検知領域の出力信号として扱う場合、１つの検知領域が副走査方向に広がりを持つように母集団の画素を選択してもよい。例えば、原稿台１２の盤面上で副走査方向に３０μｍ以上離れた２点に対応する画素の平均を１つの検知領域に対応する画素の出力信号としてもよい。また、１つの検知領域が主走査方向及び副走査方向の両方に広がりを持つように母集団の画素を選択してもよい。原稿に覆われているか否かの判定は、Ｈ、Ｘ１、Ｇ１、Ｆ１、Ｅ１、Ｄ１、Ｃ１、Ｂ１、Ａ１の順に行う。すなわち、大きいサイズから小さいサイズの順に行う。出力信号が所定のしきい値より大きければ、１回目の出力を行った時点で当該検知領域は原稿に覆われていると判定する。しきい値は具体的には例えば１８０に設定する。１回目の出力信号に基づく判定を行うようにすると、サイズを判定するための要素が追加されることになるため判定精度を向上させることができる。出力信号の比較はしきい値以上の検知領域が見つかった時点で終了し、残りの検知領域についての比較は省略する。また、以降の処理においても原稿に覆われていると判定した検知領域を含め比較が省略された検知領域については処理の対象外とする。これによりサイズの判定に要する時間を短縮できる。図１３に示す例の場合、検知領域Ａ１〜Ｇ１、検知領域Ｘ１及び検知領域Ｈは全てしきい値未満となるため、Ｓ２１５の時点で処理が省略される検知領域はない。
【００４８】
尚、Ｓ２１５では、一回目の出力信号がある値からある値までの範囲内にあるとき当該検知領域が原稿に覆われていないと判定するようにしてもよい。図１２に示すように、原稿が載置されていないとき、中間姿勢ＩＩの状態のときの各検知領域に対応する出力信号は、図１２に実線で示す値を基準に上下所定範囲内の値となる。従って、上下所定範囲内にあるとき、当該検知領域が原稿に覆われていないと判定できる。この判定方法では、各検知領域について個別にしきい値を設定することになる。また、この判定方法では、無色透明のフィルムを除いて検知不能になることがなく、非常に精度よく原稿サイズを判定することができる。
【００４９】
Ｓ２２０では、第二のラインの一度目の出力信号に基づいて各検知領域が原稿に覆われているか否かを判定する。第二ラインの場合、検知領域Ａ２は原稿の白色領域に覆われているため出力信号がしきい値より大きくなる。従って、この時点で検知領域Ａは原稿に覆われている検知領域と判定して以降の処理の対象外とする。
【００５０】
Ｓ２２５では、第三のラインの一度目の出力信号に基づいて各検知領域が原稿に覆われているか否かを判定する。この結果、検知領域Ｂも以降の処理の対象外となる。
Ｓ２３０では、Ｓ２１０で一度目の出力を行ってから所定時間経過した後、再びメインランプ２２及びＬＥＤ３２を点灯し、各検知領域の反射光をリニアイメージセンサ１５に入射させる。ここで所定時間とは、原稿カバー１３が全閉姿勢ＩＩＩ  になるまでに要する時間として推定される時間である。第二実施例のイメージスキャナは、所定時間が経過したら原稿カバー１３は全閉姿勢ＩＩＩ  になったとして二度目の蓄積を開始する。
【００５１】
Ｓ２３５では、所定の時間が経過した後、リニアイメージセンサ１５は画素に蓄積した電荷に応じたライン毎の電気信号をＡＦＥ部４１に出力する。ＡＦＥ部４１は出力された電気信号に所定の処理を施し、ディジタル表現のライン毎の出力信号を制御部５０に出力する。
Ｓ２４０では、第一のラインについて、一度目の出力信号と二度目の出力信号との光量変化を原稿の主走査方向のサイズを判定するための情報として生成してＲＡＭ５３に記憶する。具体的には、一度目の出力信号と二度目の出力信号との変化幅がしきい値以上であるか否か、しきい値以上であれば小から大への変化であるか大から小への変化であるかを表す情報を当該検知領域の光量変化を表す情報とし、各検知領域について光量変化を表す情報を生成して記憶する。しきい値は具体的には例えば５０に設定する。
【００５２】
Ｓ２４５では、第二のラインについて同様に光量変化を表す情報をＲＡＭ５３に記憶する。
Ｓ２５０では、第三のラインについて同様に光量変化を表す情報をＲＡＭ５３に記憶する。
図１６は、上記の処理によって記憶された光量変化を表す情報を示す模式図である。図中の”小→大”は、変化幅がしきい値以上であり且つ変化の仕方が小から大への変化、”大→小”は、変化幅がしきい値以上であり且つ変化の仕方が大から小への変化、”変化無し”は、変化幅がしきい値未満であることを表している。”−”は一回目の出力信号により原稿に覆われている検知領域であると既に判定され、処理対象外となっている検知領域であることを表している。
【００５３】
Ｓ２５５では、ライン毎に生成した情報に基づいて原稿の主走査方向のサイズを判定する。この判定でもＨ、Ｘ、Ｇ、Ｆ、Ｅ、Ｄ、Ｃ、Ｂ、Ａの順に判定し、原稿に覆われている検知領域が見つかった時点で判定を終了する。尚、Ａから逆順で判定してもよい。制御部５０は、それぞれ異なるライン上の検知領域であって主走査方向の位置が等しい検知領域毎に光量変化を表す情報を比較し、”小→大”以外が一つでもあれば当該検知領域は原稿に覆われていると判定する。例えば検知領域Ｄの場合、Ｄ１、Ｄ２、及びＤ３の全てが”小→大”である。この場合、制御部５０は、検知領域Ｄは原稿に覆われていないと判定する。例えば検知領域Ｃの場合、Ｃ１は”小→大”、Ｃ２は”変化無し”、Ｃ３は”大→小”である。この場合、”小→大”以外の結果が二つあるため検知領域Ｃは原稿に覆われていると判定する。他の検知領域についても同様である。”小→大”以外が一つでもあれば当該検知領域は原稿に覆われていると判定するのは、前述したように”小→大”という結果が必ずしも正しいとはいえず、それ以外の結果は必ず正しいといえるからである。また、全てが”小→大”のときは原稿に覆われていないと判定するのは、全てのラインで同時に前述したケースが起きることは極めて希であり、全てが”小→大”のときは実際に原稿に覆われていない可能性が高いと判断できるからである。この結果、図１６に示す例では検知領域Ａ〜Ｃまでが原稿に覆われていると判定でき、原稿の主走査方向のサイズはＡ５横サイズか又はＡ４縦サイズのいずれかであると判定できる。
【００５４】
Ｓ２６０では、検知領域Ｈ〜Ｋについて検知領域が原稿に覆われているか否かを検出し、原稿の副走査方向のサイズを判定する。尚、ここでの処理は原稿の主走査方向のサイズを判定する場合の処理と実質的に同一であるため詳細な説明は省略する。
Ｓ２６５では、原稿サイズ及び向きを判定する。図１３及び図１４に示す例の場合であれば、Ｓ２５５での判定結果とＳ２６０での判定結果とを同時に満たす原稿サイズ及び向きとしてＡ４縦が唯一特定される。
【００５５】
次に、原稿の位置ずれがおきない場合について説明する。
図１７は位置ずれが起きない場合の生成された情報を示す模式図である。尚、ここでは図１３に示す場合を例に説明する。位置ずれが起きない場合、記憶された光量変化は図１７に示すように検知領域Ｃを境に”変化無し”と”小→大”とに分かれる。例えばあるラインが罫線に覆われていたとする。この場合、１回目の出力信号と２回目の出力信号とはともに小さい値となるため”変化無し”となる。逆にあるラインが原稿の白色領域に覆われていたとする。この場合、１回目の出力信号と２回目の出力信号とはともに大きな値となるためこの場合も”変化無し”となる。原稿に覆われていない検知領域は必ず”小→大”となる。位置ずれが起きない場合、原稿に覆われている検知領域で”小→大”の変化や”大→小”への変化が起きることはない。従って、ある検知領域を境にして”変化無し”と”小→大”とに分かれることになる。図１７から明らかなように、位置ずれが起きないと、罫線に覆われているラインであっても罫線に覆われていないラインであっても結果は全て同じになる。従って位置ずれが起きない場合は原稿に罫線があるか否かによらず一つのラインのみで原稿サイズを正確に判定することが可能であるといえる。ただし、実際にはいつ位置ずれがおきるかは分からないため、３つのラインの出力結果に基づいて判定を行うことになる。
【００５６】
以上説明した本発明の第二実施例のイメージスキャナによると、光量変化に基づいて原稿サイズを判定するため、サイズの判定が原稿の色に影響され難くなる。具体的には例えば、あるラインに対応する検知領域に原稿の罫線が重なったとしても、原稿の位置ずれが起きていなければ罫線に影響されることなくサイズを判定できる。また、原稿の位置ずれがあったとしても、小から大への変化が３つのラインで同時に起きなければ正確に判定できる。小から大への変化が３つのラインで同時に起きる可能性は低いといえる。少なくとも、全ての検知領域が原稿の暗い部分に覆われる可能性に比べて低いといえるため、第一実施例の画像読み取り装置よりも主走査方向のサイズの判定謝りを低減できる。
【００５７】
更に、第二実施例のイメージスキャナは副走査方向のサイズの判定も光量変化に基づいて行うため、第一実施例の画像読み取り装置よりも副走査方向のサイズの判定謝りを低減できる。
尚、主走査方向のサイズの判定については第一実施例の方法を適用し、副走査方向のサイズの判定については第二実施例の方法を適用するようにしてもよいし、その逆で適用するようにしてもよい。
【図面の簡単な説明】
【図１】本発明の第一実施例に係るフローチャート。
【図２】本発明の第一実施例に係る上面図。
【図３】本発明の第一実施例に係る模式図。
【図４】本発明の第一実施例に係る模式図。
【図５】本発明の第一実施例に係る模式図。
【図６】本発明の第一実施例に係るブロック図。
【図７】本発明の第一実施例に係る平面図。
【図８】本発明の第一実施例に係る模式図。
【図９】本発明の第一実施例に係る模式図。
【図１０】本発明の第一実施例に係る模式図。
【図１１】本発明の第一実施例に係るテーブル。
【図１２】本発明の第一実施例に係るグラフ。
【図１３】本発明の第一実施例に係る模式図。
【図１４】本発明の第一実施例に係る模式図。
【図１５】本発明の第一実施例に係るフローチャート。
【図１６】本発明の第一実施例に係る模式図。
【図１７】本発明の第一実施例に係る模式図。
【符号の説明】
１  イメージスキャナ（画像読み取り装置）、１２  原稿台、１３  原稿カバー、１５  リニアイメージセンサ（イメージセンサ）、１５ａ  第一のライン（ライン）、１５ｂ  第二のライン（ライン）、１５ｃ  第三のライン（ライン）、２１  第一の光学系、２２  メインランプ（第一の光源）、３１  第二の光学系、３２  ＬＥＤ３２（第二の光源）、４４  副走査駆動部（副走査手段）、５０制御部（第一のサイズ判定手段、第二のサイズ判定手段、原稿サイズ判定手段）
【図１】
2005020270.tif 000003
【図２】
2005020270.tif 000004
【図３】
2005020270.tif 000005
【図４】
2005020270.tif 000006
【図５】
2005020270.tif 000007
【図６】
2005020270.tif 000008
【図７】
2005020270.tif 000009
【図８】
2005020270.tif 000010
【図９】
2005020270.tif 000011
【図１０】
2005020270.tif 000012
【図１１】
2005020270.tif 000013
【図１２】
2005020270.tif 000014
【図１３】
2005020270.tif 000015
【図１４】
2005020270.tif 000016
【図１５】
2005020270.tif 000017
【図１６】
2005020270.tif 000018
【図１７】
2005020270.tif 000019